(57)【要約】【課題】  カラオケ歌唱において、歌唱上の技巧である一定範囲のタイミングの「ノリ」や「ため」を許容して、より歌唱者に納得できる＊採点手法を提供する。  【解決手段】  歌唱者の歌唱採点において、歌唱音高とリファレンス音高の差分の評価を、楽譜上音符がある箇所ない箇所それぞれに応じて評価し、合計得点が１００点以内に収まるような採点を行う。【選択図】図１
2019028310.tif 000002
【特許請求の範囲】
【請求項１】
歌唱者の音声を入力する音声入力手段と、
音声入力手段から供給されるオーディオ信号から一定頻度でピッチを検出するピッチ検出手段と、
原曲の楽譜情報とを有し、
当該楽譜情報の音高と被採点歌唱の前記ピッチ検出手段により検出された音高とを比較し、
前記楽譜情報の音高と被採点歌唱の音高の差が一定範囲にあるかどうかで評価する採点方式において、
ピッチ検出のタイミングが、原曲の楽譜情報のリファレンスノートがある時間においては、
当該リファレンスノート或いは当該ピッチ検出前後一定時間内に存在するリファレンスノートのいずれかの音高と被採点歌唱の音高の差が一定範囲内にあるときは合格、
そうでないときは不合格、歌唱音が検出できないとも不合格とし、
原曲の楽譜情報のリファレンスノートがない時間で、
ピッチ検出の前後一定時間内にリファレンスノートがあるとき、
音高の差が一定範囲内にあるときは合格、
音高の差が一定範囲内にないときは、ノーカウント、
歌唱音が検出できないときもノーカウントとし、
原曲の楽譜情報のリファレンスノートがない時間で、
ピッチ検出の前後一定時間内にリファレンスノートがないときはノーカウントとすることを特徴とする採点方式。
【請求項２】
前記請求項１において、
合格の総数を合格の数と不合格の数の和で除した商に１００を乗じた値を歌唱得点とすることを特徴とする請求項１記載の採点方式。
【発明の詳細な説明】
【技術分野】
【０００１】
本発明は、利用者による歌唱を採点する機能を、適正に採点できる技術に関する。
【背景技術】
【０００２】
採点機能を有するカラオケ装置は、マイクより入力された歌唱者の音声信号をピッチ検出して、演奏楽曲の主旋律等の楽譜データをもとにした楽譜情報とを比較して採点を行うようになっている。
【０００３】
ピッチ検出した歌唱者の歌唱を音符ごとに誤差の許容範囲（閾値）を設けて、ひとつひとつを採点する方法は各社から提案されている。
【先行技術文献】
【特許文献】
【０００４】
【特許文献１】特開２０１６−０７５７５４号公報
【特許文献２】特開２０１６−１１４７２６号公報
【特許文献３】特開２０１６−０７５７５３号公報
【発明の概要】
【発明が解決しようとする課題】
【０００５】
特許文献１は、利用者によるカラオケ歌唱の巧拙を採点するカラオケ採点装置において、歌唱時間の長短に関わらず同等の採点を行えるようにする為、楽曲データを記憶する記憶手段と、読み出された演奏データに基づくカラオケ演奏を行うとともに、リファレンスデータを参照する演奏手段と、リファレンスデータと歌唱音声を比較し、それぞれの音高の差分が閾値未満か否かによって音符毎に合格又は不合格の判定を行い、カラオケ楽曲における合格した音符数の比率によって得点を算出する採点手段とを備える。そして、採点手段は、歌唱量情報に示される歌唱量に基づいて、判定を行うための閾値を変更する。
【０００６】
特許文献２は、ユーザ自身の音高を示す画像と許容限界を示す画像とをモニタに表示し、自身の音高のずれについてユーザに注意を喚起させるカラオケ装置を提供する。
【０００７】
特許文献３は、カラオケ楽曲の演奏とともに、演奏に同期して歌唱旋律における各音符の音高情報と区切り情報を含むリファレンスデータを取得する演奏手段と、歌唱音声を入力する歌唱音声入力手段と、区切り情報（ノートオン、ノートオフ）によって識別される音符毎に、歌唱音声の音高を記録する記録手段と、リファレンスデータに含まれる連続する２つの音符の音高差と、当該２つの音符に対応する、記録した歌唱音声に含まれる２つの音符の音高差の差分の比較によって採点する第１の採点手段を備える。
【課題を解決するための手段】
【０００８】
特許文献１、特許文献３は、歌唱者の音高と閾値との関係から合否を決定して、全体の音符数の中で合格した音符数の比率を採点結果としている。
特許文献２は、歌唱中の音高の許容範囲を示して歌唱者に注意を喚起すものであり、許容範囲を一定回数超えた場合は歌唱を中止するというもので、採点が目的ではない。
しかし、楽譜には休符箇所や間奏部もあり、前の音符を伸ばしたり、次の音符に早めに飛び込んだりすることもありがちで、前記いずれの出願も楽譜の無い所の歌唱評価に関して触れた記述はみあたらない。
歌唱上の技巧のひとつでもある一定範囲のタイミングの「ノリ」や「ため」を許容する出願は見受けられない。
【０００９】
前記の課題を解決するため本発明の請求項１は、
歌唱者の音声を入力する音声入力手段と、
音声入力手段から供給されるオーディオ信号から一定頻度でピッチを検出するピッチ検出手段と、
原曲の楽譜情報とを有し、
当該楽譜情報の音高と被採点歌唱の前記ピッチ検出手段により検出された音高とを比較し、
前記楽譜情報の音高と被採点歌唱の音高の差が一定範囲にあるかどうかで評価する採点方式において、
ピッチ検出のタイミングが、
原曲の楽譜情報のリファレンスノートがある時間においては、
当該リファレンスノート或いは当該ピッチ検出前後一定時間内に存在するリファレンスノートのいずれか音高と被採点歌唱の音高の差が一定範囲内にあるときは合格、
前記音高の差が一定範囲を超えているときは不合格、歌唱音が検出できないときも不合格とし、
原曲の楽譜情報のリファレンスノートがない時間で、
ピッチ検出の前後一定時間内にリファレンスノートがあるとき、
音高の差が一定範囲内にあるときは合格、
音高の差が一定範囲内にないときは、ノーカウント、
歌唱音が検出できないときもノーカウントとし、
原曲の楽譜情報のリファレンスノートがない時間で、
ピッチ検出の前後一定時間内にリファレンスノートがないときはノーカウントとすることを特徴とする採点方式である。
【００１０】
本発明の請求項２は、前記請求項１において、
合格の総数を合格の数と不合格の数の和で除した商に１００を乗じた値を歌唱得点と
することを特徴とする前記請求項１記載の採点方式である。
【発明の効果】
【００１１】
これにより、音符がない箇所であっても、前後の音符と一定時間内にあれば、前または後の音符に続く連続音として許容範囲として採点することができる。
【図面の簡単な説明】
【００１２】
【図１】本発明の実施例に係るの凡例図
【図２】本発明の実施例に係るイメージ図
【発明を実施するための形態】
【００１３】
本発明の請求項１の実施例を図２に示す。
実施例では、音符ごとのリファレンス音高２と実際の歌唱音高３の差分が、一定の音高許容範囲４内にあるかどうかを基準として各歌唱音高における合格不合格を決めるというものである。
図１は、図２における音程許容範囲の定義であり、リファレンス音程を中心に許容範囲４としている。
図１において、リファレンスノートオンの時間においては、
ピッチ検出された歌唱者の歌唱音高３が、当該リファレンスノート或いは当該ピッチ検出前後一定時間内に存在するリファレンスノートのいずれかの許容範囲４にある場合は、○(合格)、  歌唱音高３が前記許容範囲４にない場合は×（不合格）とする。（歌唱音高３がその時間のリファレンスノートの許容範囲４になくても、前後一定時間内にあるリファレンスノートの許容範囲４にあれば○（合格）となる。）
また、このとき歌唱音がなければ×（不合格）となる。
【００１４】
リファレンスノートオフの時間においては、
リファレンスノート終了後の一定時間５または、リファレンスノート開始前の一定時間６以内にある場合は、
ピッチ検出された音が、当該ピッチ検出前後一定時間内に存在するリファレンスノートのいずれかの許容範囲４にある場合は、○(合格)とし、
音高の差が一定範囲内にないときおよび歌唱音が存在しないときは、ノーカウントとする。
【００１５】
また、このリファレンスノートオフの時間で、
リファレンスノート終了後の一定時間５または、リファレンスノート開始前の一定時間６以内にない場合は、ピッチ検出されてもされていなくてもノーカウントとする。
【００１６】
また本発明の請求項２に係る実施例は、上記歌唱について、
○（合格）の場合は、分子と分母に１を加算し、
×（不合格）の場合は、分母のみに１を加算し、
ノーカウントの場合は、加算を行わない。
図２の例では、
分子＝０＋１＋１＋１＋１＋１＋１＋１＋１＋１＋１＋１＋０＋１＋１＋１＋１＋１＋０＋０＋０＋０＋０＋０＋０＋１＋１＋１＋１＋１＋１＋１＋１＋１＋０＋１＋１＋１＝２８
分母＝１＋１＋１＋１＋１＋１＋１＋１＋１＋１＋１＋１＋１＋１＋１＋１＋１＋１＋０＋０＋０＋０＋０＋０＋０＋１＋１＋１＋１＋１＋１＋１＋１＋１＋１＋１＋１＋１＝３１
分子÷分母  ｘ１００＝９０点となり、１００点満点内での得点となる。
【符号の説明】
【００１７】
１    楽譜イメージ
２    リファレンス音高
３    一定頻度でピッチ検出された歌唱音高
４    音高許容範囲
５    リファレンスノート終了後の一定時間
６    リファレンスノート開始前の一定時間
７    前後のリファレンスノートを考慮した音高許容範囲
【図１】
2019028310.tif 000003
【図２】
2019028310.tif 000004